(57)【要約】    【課題】  本発明は、使用時においては、快適に使用することができ、不使用時においても容易に、且つ、コンパクトに折り畳んで収納することができる折畳みベッドの提供を目的とする。    【解決手段】  平面視ベッドの外形形状を成して長手方向の中央部で逆V字形に折り畳み可能な固定フレーム１１を備えた折畳みベッド１０であって、上記固定フレーム１１を、倒伏した人の上半身に対応する上半身固定フレーム部１６と下半身に対応する下半身固定フレーム部１４、１７とで構成し、上記上半身固定フレーム部１６の幅方向の内側に上半身起伏フレーム１２を位置させて、上記下半身固定フレーム部１４、１７と上記上半身固定フレーム部１６との境界部付近へ起伏可能に上記上半身起伏フレーム１２を枢着し、上記上半身起伏フレーム１２を倒伏したとき、該上半身起伏フレーム１２を支持する支持部１８を上記上半身固定フレーム部１４、１７に形成し、前記上半身起伏フレーム１２と、前記下半身固定フレーム部１４、１７とのそれぞれに弾性板３０を横架した折畳みベッド１０。  【選択図】    図１
2005034401.tif 000002
【特許請求の範囲】
【請求項１】
平面視ベッドの外形形状を成して長手方向の中央部で逆V字形に折り畳み可能な固定フレームを備えた折畳みベッドであって、
上記固定フレームを、倒伏した人の上半身に対応する上半身固定フレーム部と下半身に対応する下半身固定フレーム部とで構成し、
上記上半身固定フレーム部の幅方向の内側に上半身起伏フレームを位置させて、上記下半身固定フレーム部と上記上半身固定フレーム部との境界部付近へ起伏可能に上記上半身起伏フレームを枢着し、
上記上半身起伏フレームを倒伏したとき、該上半身起伏フレームを支持する支持部を上記上半身固定フレーム部に形成し、
前記上半身起伏フレームと、前記下半身固定フレーム部とのそれぞれに弾性板を横架した
折畳みベッド。
【請求項２】
前記下半身固定フレーム部を、上記固定フレームの長手方向の中央部に対して両側に構成し、
上記下半身固定フレーム部を上記中央部に対して脚部側の脚部固定フレーム部と、
上記中央部に対して頭部側で、且つ尻部に対応する尻部固定フレーム部とに区分けした
請求項１に記載の折畳みベッド。
【請求項３】
前記弾性板への負荷を他の上記弾性板へと分散させる紐部材を上記横架した所定の弾性板に着脱自在に連結した
請求項１、又は、２に記載の折畳みベッド。
【請求項４】
上記横架した上半身起伏フレーム、又は／及び、下半身固定フレーム部の所定の部位において、弾性板を上下方向に積層させ、該積層した弾性板の側部を摺動可能な包囲部材で包囲して、上記積層した最上に位置する弾性板の一方の端部と、該最下に位置する弾性板における上記最上に位置する弾性板の他方の端部に対応する端部とを取り付けて横架した
請求項１、２、又は、３に記載の折畳みベッド。
【発明の詳細な説明】
【技術分野】
【０００１】
この発明は、不使用時に折り畳んで収納することができるベッドに関する。
【背景技術】
【０００２】
最近、背部等の人体部位を起伏可能であるとともに、不使用時に収納できる両方の機能を備えたタイプのベッドが提案されている。
【０００３】
上記ベッドにおいては、例えば先行技術１（特許文献１参照）が提案されている。上記先行技術のベッドの構成は、ベッドの土台となる主フレームを構成している。該主フレームは、前主フレームと後主フレームとの対向端縁を枢着して折り畳み可能に形成している。
【０００４】
さらに、上記主フレームの左右側縁に対して内側で、例えば背部に相当する部位には、背部を起伏可能とするリクライニングフレームを備えている。上記リクライニングフレームの取り付けは、主フレームの尻部に対応する部位に中間フレームと呼ばれるフレーム構成し、該中間フレームと、リクライニングフレームとの対向端縁を枢着して起伏可能に取り付けている（特許文献１の図１４参照）。
【０００５】
また、主フレームの下側には、倒伏した状態の上記リクライニングフレーム等の起伏フレームを支持する支持部が主フレームの左右側縁内側に沿って形成されている。なお、上記折畳みベッドの載上面には、板ばねを横架している。該板ばねに負荷が作用しても、該板ばねが破損しないように補強杆によって、補強されている。
【０００６】
しかし、上記構成を採る折畳みベッドは、尻部を載置する面における折畳みベッドの左右両側に上記中間フレームが存在するため、尻部を載置するスペースを狭くしてしまう。
【０００７】
また、上記折畳みベッドは、リクライニングフレームだけでなく、全く起伏運動をすることのない中間フレーム自体も支持部によって支持する必要がある。
【０００８】
すなわち、所定部位を起伏運動可能とするために、該所定部位とは全く関係のない部位に中間フレームや該中間フレームを支持するための支持部を形成する必要がある。これに伴って、折畳みベッドの重量が重くなるため、利用者は、ベッドの折り畳み動作の際に負担を要する。
【０００９】
しかも、折畳みベッドを折り畳み後においては、上記前主フレームと上記後主フレームとに形成した支持部どうしが対向し、該対向した支持部の幅の分、ベッドの幅がかさんでしまいコンパクトに収納することができないおそれを有する。
【００１０】
また、折畳みベッドは、中間フレームと該中間フレームを支持するための支持部とを形成する分、コストを要する。
【００１１】
その他、上記構成を採る折畳みベッドは、リクライニングフレーム、及び中間フレームの存在しない主フレームだけで形成する部位（図１４の後主フレーム参照）にも支持部を形成している。板ばねを支持するためであると仮定しても、補強杆で板ばねを支持できるため、わざわざこのような支持部を形成する必要がなく、折畳みベッドのコスト、重量の面で無駄である。
【００１２】
【特許文献１】特許第３０３８３２７号公報
【発明の開示】
【発明が解決しようとする課題】
【００１３】
そこで、本発明は、使用時においては、快適に使用することができ、不使用時においても容易に、且つ、コンパクトに折り畳んで収納することができる折畳みベッドの提供を目的とする。
【課題を解決するための手段】
【００１４】
本発明は、平面視ベッドの外形形状を成して長手方向の中央部で逆V字形に折り畳み可能な固定フレームを備えた折畳みベッドであって、上記固定フレームを、倒伏した人の上半身に対応する上半身固定フレーム部と下半身に対応する下半身固定フレーム部とで構成し、上記上半身固定フレーム部の幅方向の内側に上半身起伏フレームを位置させて、上記下半身固定フレーム部と上記上半身固定フレーム部との境界部付近へ起伏可能に上記上半身起伏フレームを枢着し、上記上半身起伏フレームを倒伏したとき、該上半身起伏フレームを支持する支持部を上記上半身固定フレーム部に形成し、前記上半身起伏フレームと、前記下半身固定フレーム部とのそれぞれに弾性板を横架した折畳みベッドであることを特徴とする。
【００１５】
上記固定フレームは、例えば、該固定フレームの中央部を隔てて頭部側を上半身固定フレーム部、脚部側を下半身固定フレーム部として構成してもよいが、ベッドの使用対象者、使用環境等を見越して上半身と下半身に対応させて上半身固定フレーム部と下半身固定フレーム部とを構成することができる。
【００１６】
好ましくは、上記下半身固定フレーム部を、上記固定フレームの中央部に対して両側に構成し、上記下半身固定フレーム部を上記中央部に対して脚部側の脚部固定フレーム部と、上記中央部に対して頭部側で、且つ尻部に対応する尻部固定フレーム部とに区分けして構成するとよい。
【００１７】
また、上記上半身フレームは、利用者の特に、背部を支持できるものであれば、上半身の起伏操作が手動、又は、電動のいずれの手段で行うタイプであってもよいが、手動式の方が構造を簡単にできるため、コンパクトに、且つ、低コストで構成することができる。
【００１８】
上記上半身起伏フレームは、背部、又は／及び頭部を起伏するためのフレームを示す。上述するごとく、上半身起伏フレームは、倒伏した状態の該上半身起伏フレームと、上記上半身固定フレーム部との各左右両側部における間を指等の人体部位が挟み込まれない幅を備えて構成してもよい。この場合、上半身起伏フレームは、上記上半身固定フレーム部の左右両側部の内側に備えて内側に位置するよう上半身固定フレーム部に枢着すればよい。  
上記構成を採れば、倒伏操作を行う際の利用者の安全を確保することができる。
【００１９】
また、上半身起伏フレームを上記上半身固定フレーム部に対して内側に倒伏させることにより、上半身固定フレーム部に対して上記上半身フレームが外側に突き出すことや上下方向に積層することがないため、ベッドを薄型に構成できるとともに、省スペースにすることができる。
【００２０】
上記支持部は、上記上半身固定フレーム部における幅方向に形成する、あるいは、角部に形成する等、上半身固定フレーム部に、すなわち、固定フレームにおける上半身起伏フレームを枢着した部位よりも頭部側に形成していればいずれの形態で形成してもよい。
【００２１】
また、上記支持部には、上半身起伏フレームが倒伏したときに、該上半身起伏フレームと当接する部位にスポンジ、ゴム等の弾性部材を固着してもよい。上記構成を採れば、上記上半身起伏フレームが支持部に当接する際の衝撃を和らげることができる。
【００２２】
また、上記横架した弾性板に対しては、上記弾性板への負荷を他の弾性板へと分散させる紐部材を着脱自在に連結するとよい。
【００２３】
上記紐部材は、ゴム、布製、プラスチック等で紐状、あるいは、帯状に形成することができる。例えば、上記紐部材を鎖状に形成した場合は、該鎖状を構成する各環内に弾性板を挿通し、横架した弾性板を着脱自在に連結することができる。
【００２４】
上記構成により、弾性板に負荷を付与した場合、各弾性板は紐部材で連結しているため、負荷が直接、加わらない弾性板も一緒に負荷を支持することができる。  
しかも、横架した弾性板は、連続的に湾曲するため利用者は、心地よく載上することができる。上記弾性板の強度を確保したい場合や体重の重い利用者が使用する場合に特に有効である。
【００２５】
また、上述するごとく、紐部材は着脱可能であるため、必要時のみ弾性板とりつけて、不使用時には、洗濯等できるため便利である。
【００２６】
また、上記弾性板を上下方向に積層し、上記積層した弾性板の側部を摺動可能な包囲部材で包囲させ、該積層した最上に位置する弾性板の一方の端部を固定端部とし、該最上に位置する弾性板の他方の端部を自由端部とし、最下に位置する弾性板の上記固定端部に対応する端部を自由端部とし、該最下に位置する弾性板の上記自由端部に対応する端部を固定端部として横架して構成してもよい。
【００２７】
上記構成を採れば、弾性板の弾性力を調節することができるとともに、強度も向上させることができる。
【発明の効果】
【００２８】
この発明によれば、折畳みベッドを軽量化できるため、折り畳み動作を容易に行うことができる。また、折り畳み後のベッドを薄形に収納することができ、場所をとらない。しかも、上記折畳みベッドは、低コストに構成することができる。
【００２９】
上記折畳みベッドの使用時においても、尻部等の載上面に上半身起伏フレームを取り付けるためのフレームを形成する必要がないため、尻部等の載上面のスペースを確保することができる。
【００３０】
上記紐部材を用いることで、負荷を付与した弾性板だけでなく、負荷を周囲の弾性板でも支持することができる。また、その際、利用者が接触するその周囲の弾性板も連動して緩やかに撓むため、利用者は、快適に弾性板に載上することができる。
【００３１】
上述するごとく弾性板を積層すれば、利用者は、包囲部材を用いて任意の弾性力に調整することができる。
【発明を実施するための最良の形態】
【００３２】
この発明の一実施形態を、以下図面を用いて説明する。  
図１（ａ）、（ｂ）は、後述する弾性板３０を横架した状態の折畳みベッド１０の外観図を示す。  
まず、上記折畳みベッド１０のフレーム構造を中心に説明を行う。その際、図２（ａ）、（ｂ）、図３（ａ）、（ｂ）に示すごとく上記折畳みベッド１０に横架した弾性板３０を省略した図を用いて説明を行う。
【００３３】
折畳みベッド１０のフレームは、ベッドの略外形形状をなす矩形をした固定フレーム１１と、人の背部を起伏可能とする背部起伏フレーム１２とで構成する。
【００３４】
上記固定フレーム１１は、ともに平面視コの字形をした頭部側固定フレーム１３と脚部側固定フレーム１４とで構成する。さらに、上記頭部側固定フレーム１３と上記背部固定フレーム部１６とは、略同じ大きさを成し、それぞれコの字形の開口部が対向させて一体に形成している（図３（ａ）参照）。  
ここで、上記対向する各端部どうしを、固定フレーム１１を逆V字形に折り畳み可能とするブラケット１５を介して枢着している。
【００３５】
折畳みベッド１０に人が倒伏したとき、上記頭部側固定フレーム１３における人の背部と尻部に対応する部位をそれぞれ背部固定フレーム部１６、尻部固定フレーム部１７とに区分けする。なお、その場合、脚部側固定フレーム１４は人の脚部に対応する部位となる。
【００３６】
上記頭部側固定フレーム１３における背部固定フレーム部１６と尻部固定フレーム部１７と境界部における、各内側面どうしは、断面視丸形の桟１６ａを固着している。また、上記桟１６ａの境界部の内側面に固着した各部位の内側には、頭部側に突き出した側面視半円弧状の突起部１６ｂ、１６ｂを固着している。
【００３７】
また、頭部側固定フレーム１３には、平面視コの字形を閉口する形態に、該コの字形の開口端部における各内側面に断面視角形の桟１７ａを横架してベッドの強度を維持している。
【００３８】
一方、上記背部起伏フレーム１２は、背部固定フレーム部１６の長手方向よりも長さが短い断面視角形の２本のフレーム１２ａ、１２ａのそれぞれにおける長手方向の一方の端部どうしに略上記突起部１６ｂ、１６ｂ間の幅を備えた丸形の桟１２ｂを横架して、コの字形に形成している（図３（ａ）参照）。
【００３９】
上記背部起伏フレーム１２は、該背部起伏フレーム１２のコの字形の開口端部を上記各突起部に枢着して背部固定フレーム部１６に対して起伏可能な枢着部１２ｃを形成している。
【００４０】
上記背部固定フレーム部１６には、平面視したとき、コの字形の各角部に、板状の支持部１８を固着している。さらに、上記支持部１８上面の中央部には、角形のゴム部材１８ａを添着している。
【００４１】
また、背部固定フレーム部１６における丸形の桟１６ａの頭部側（前側）には、断面視角形の桟１６ｃを横架している。上記桟１６ｃの形状は、長手方向の中央部が台形形状に上方に突き出すよう中央部を隔てた両側を屈曲させた形状あり、該桟１６ｃの両端部の上面と背部固定フレーム部１６の下面とを固着している。
【００４２】
また、固定フレーム１１に固定した状態の上記桟１６ｃと、回動可能な状態の背部起伏フレーム１２との２部位には、ラッチェット内蔵伸縮部材１９を枢着し、該ラッチェット内蔵伸縮部材１９は、折畳みベッド１０の左右両側で２つ取り付いている（図３（ｂ）参照）。
【００４３】
具体的には、上記ラッチェット内蔵伸縮部材１９は、伸縮部材２０と固定部材２１とで構成し、該伸縮部材２０の上端部を背部起伏フレーム１２のフレームの中央部より下側に枢着し、固定部材２１の下端部は、前記桟１６ａの突起部１６ｂに対応する部位の上記桟１６ｃに枢着している。
【００４４】
さらに、上記ラッチェット内蔵伸縮部材１９は、伸縮部材２０にピン２０ｂを形成している。一方固定部材２１の互いに対向する側面にはカム孔２１ｂが長手方向に形成し、該カム孔２１ｂの下端縁には、上記ピン２０ｂを係止可能な係止孔２１ｃが長手方向に５つ形成している。  
上記ピン２０ｂを任意の係止孔２１ｃへ係止することで、５段階で背部起伏フレーム１２の起伏角度を調節することができる。
【００４５】
次に、上述した固定フレーム１１に取り付いている部材について説明を行う。  
背部固定フレーム部１６における頭部側の中央部には、コの字形の頭部側支持脚２２を立設した状態で熱溶着している。上記頭部側支持脚２２は、コの字形の開口端部にキャスタ２２ａを有している。
【００４６】
頭部側支持脚２２における固定フレーム１１よりも上方には、枕の落下を防止するとともに、意匠的に役割を果たす柵部材２２ｂを熱溶着している（図２参照）。さらに、頭部側支持脚２２を折畳みベッド１０に取り付けたとき、該頭部側支持脚２２の上端部の中央部には、キャスタ２２ｃが該折畳みベッド１０の前方側に突き出して形成している。
【００４７】
また、脚部側固定フレーム１４における脚部側（後側）の両側部には、逆Ｔ字形をして、下部の前後方向に２つのキャスタ２３ａを有した脚部側支持脚２３を枢着している。  
上記脚部側固定フレーム１４の長手方向の中央部側における左右両側には、楕円形が上側に突き出した形態のハンドル２４を幅方向に延設している。
【００４８】
さらに、上記頭部側固定フレーム１３と脚部側固定フレーム１４とを枢着した折畳みベッド１０の左右両側に位置する各ブラケット１５の下部には、中間部において幅方向に地面に対して水平に這わせた円筒状の両側から上方に湾曲変形させた中間支持脚２５の上端部を熱溶着している。
【００４９】
また、折り畳み動作を円滑に行うための付勢バネ２６を固定フレーム１１の前後両側と、上記中間支持脚２５とに、幅方向の左側に係止して側面視V字状に張架している。  
なお、上述したとおり、上記桟１６ｃの中央部は、屈曲させて形成しているため、付勢バネ２６を張架したとき、該桟１６ｃが付勢バネ２６に接触することがない。
【００５０】
さらに、脚部側固定フレーム１４の脚部側端部の中央部には、コの字形をした把手２７の開口端部を固着している。上記把手２７は、利用者が折畳みベッド１０を移動するときに把持するために利用することができる。
【００５１】
上記構成を採る折り畳みベッド１０を倒伏させる操作に着目すると、図４（ａ）に示すごとく、背部起伏フレーム１２の起立状態において、利用者は、背部起伏フレーム１２を少し持ち上げる。これにより、ラッチェット内蔵伸縮部材１９の伸縮部材２０のピン２０ｂは固定部材２１の最上に位置する係止孔から固定部材２１に内蔵されたバネ（図示せず）の付勢力によってカム孔２１ｂの上端縁に移動する。
【００５２】
以上により、背部起伏フレーム１２は倒伏可能となり、利用者は、ピン２０ｂはカム孔２１ｂの上側縁部に沿いながら下降する。すなわち、伸縮部材２０が除々に伸縮していくとともに、ラッチェット内蔵伸縮部材１９自体が倒伏することで利用者は、背部起伏フレーム１２を手動で倒伏させることができる。
【００５３】
上記固定フレーム１１に対して上記背部起伏フレーム１２を略水平になるまで倒伏すると、図４（ｂ）に示すごとく、上記背部起伏フレーム１２の左右上端部は、上記支持部１８に添着したゴム部材１８ａに当接することで、支持部１８によって支持することができる。
【００５４】
このように、支持部１８にゴム部材１８ａを添着することで、当接したときの衝撃を吸収でき、支持部１８の両端を頭部側固定フレーム１３における頭部側のフレームと、左右各端部側のフレームとに固着しているため、背部起伏フレーム１２に負荷が作用しても確実に支持することができる。
【００５５】
上述した手順により折畳みベッド１０は、ベッド状態とすることができる。  
なお、上記図４（ａ）、（ｂ）において弾性板３０については、倒伏操作に直接関係しないため、図中で該弾性板３０は、省略して現した。
【００５６】
また、上記背部起伏フレーム１２は、倒伏したとき頭部側固定フレーム１３の幅方向の内側に位置する。よって、折畳みベッド１０は、背部起伏フレーム１２の厚みの分、コンパクトに倒伏することができる。
【００５７】
さらに、折畳みベッド１０は、上述したとおり、固定フレーム１１における背部固定フレーム部１６と尻部固定フレーム部１７との境界部に位置する上記桟１６ａ（突起部１６ｂ、１６ｂ）に背部起伏フレーム１２を直接枢着している。
【００５８】
上記構成を採れば、尻部固定フレーム部１７において、別途、背部起伏フレーム１２を枢着するためのフレームを尻部固定フレーム部１７に一切形成する必要がない。よって、使用者が尻部を載上させる幅を確保できる。
【００５９】
しかも、背部起伏フレーム１２を固定フレーム１１に直接枢着すれば、上記支持部１８は、背部起伏フレーム１２のみを支持すればよいため、該支持部１８は、固定フレーム１１における背部固定フレーム部１６にのみ形成すればよい。
【００６０】
すなわち、上記支持部１８は、枢着部１２ｃより頭部側にのみ形成すればよく、上記構成に限らず例えば、図５（ａ）、（ｂ）に示すごとく形成してもよい。
【００６１】
このため、支持部１８は必要最低限の大きさで形成すればよく、尻部にも余計なフレームを必要としないため、低コストで形成することができる。
【００６２】
また、図５（ｃ）に示すごとく、背部起伏フレーム１２を倒伏する際、折畳みベッド１０の左右各端部における背部起伏フレーム１２と背部固定フレーム部１６との間に例えば、指が挟み込まれない幅（図５（ｃ）のＷ）を確保して背部起伏フレーム１２等を形成してもよい。
【００６３】
さらに、背部起伏フレーム１２と、尻部固定フレーム部１７、脚部側固定フレーム１４には、人が載上可能とする木製の弾性板３０を幅方向に横架している。脚部側固定フレーム１４には、長手方向に８本、同様に尻部固定フレーム部１７には３本、背部起伏フレーム１２には５本の弾性板３０をそれぞれ等間隔に横架している（図１（ａ）、（ｂ）参照）。  
なお、上記弾性板３０は、人が載上したとき弾力感が得られるよう湾曲変形させ上側に突起した状態に取り付けている。
【００６４】
上記弾性板３０の取り付けは、図６（ａ）、（ｂ）に示すごとく上記弾性板３０を柔軟なゴム部材１８ａで形成した取付部材３１を介して背部起伏フレーム１２、尻部固定フレーム部１７、及び、脚部側固定フレーム１４に取り付けている。
【００６５】
上記取付部材３１は、開口部３１ｃを備えた箱形の挿通部３１ａを形成し、該挿通部３１ａの下面には、取付部材３１の幅方向に対して板状の取付部３１ｂが下側に突き出した形状で形成している。  
上記取付部材３１の背部起伏フレーム１２、尻部固定フレーム部１７、及び脚部側固定フレーム１４への取り付けは、折畳みベッド１０の左右両側で取付部材３１の開口部３１ｃを対向させ、上記取付部材３１の取付部３１ｂと上記各フレーム１２、１７、１４との内周面とを当接し、取付部３１ｂの下部を一本の螺子３２ａでワッシャ３２ｂを介して該当接した部位の下部で螺合して取り付けることができる。  
このとき、取付部材３１は、背部起伏フレーム１２、尻部固定フレーム部１７、及び、脚部側固定フレーム１４の各上面よりもさらに上側に位置するように上記各フレーム１２、１７、１４に対して取り付けている。
【００６６】
また、背部起伏フレーム１２、及び、脚部側固定フレーム１４においては、１枚の弾性板３０の両端部を上記対向する一対の取付部材３１に対して、それぞれの開口部３１ｃに挿通して合計１３本を横架している。
【００６７】
ただし、図７（ａ）に示すごとく、弾性板３０を取付部材３１の開口部３１ｃに挿通する前に、鎖状をしてゴム製の弾性紐部材３３の各環状部内に各弾性板３０を挿通している。上記弾性紐部材３３は、弾性板３０の幅方向の中央部で、折畳みベッド１０の長手方向に各弾性板３０を連結している（図１参照）。
【００６８】
また、上記尻部固定フレーム部１７においては、２本の弾性板３０を上下方向に積層した状態で取付部材３１へ取り付けている。具体的には、図８（ａ）に示すごとく上記２枚の弾性板３０のうち下方の弾性板３０における左端部を、上記対向する一対の取付部材３１における左側の取付部材３１の開口部３１ｃに挿通する。なお、上記下方の弾性板３０の右端部に関しては、自由端としておく。  
また、積層した上方の弾性板３０については、上記下方の弾性板３０における自由端とした側、すなわち、右側の取付部材３１の開口部３１ｃに該下方の弾性板３０の右端部を挿通し、左端部に関しては、自由端としている。  
さらに、上記２枚の弾性板３０を、該弾性板３０を包囲する２つ包囲部材３４が弾性板３０の長手方向にスライド可能に包囲している。
【００６９】
上記構成を採れば、図６（ａ）に示すごとく、弾性板３０上に人が載上した場合、元々、弾性板３０が上方に湾曲させているため、取付部材３１は、柔軟性を有することから後側（折畳みベッド１０に対して外側）に傾倒していたが、該弾性板３０が下方に湾曲するとともに、該取付部材３１（特に取付部３１ｂ）は、前側（一対の取付部材３１の各対向側）にも傾倒することができる。  
特に、取付部材３１の前側への傾倒について着目すると、該取付部材３１は、前側にフレームが存在しないため、取付部３１ｂは、ワッシャ３２ｂの上端部まで前側に傾倒し、より前側に対して柔軟に撓むことができる。  
すなわち、取付部材３１を同じ材質、大きさで形成しても、上述した取り付け形態とすれば、より折畳みベッド１０の載上面の柔軟性を向上させることができる。
【００７０】
しかも、図６（ｂ）に示すごとく、取付部材３１の左右方向についての撓みに着目しても、ワッシャ３２ｂより上部についてはフレームや螺子３２ａ等に拘束されないため、取付部材３１（特に取付部３１ｂ）は、左右方向にも傾倒し易くなり、折畳みベッド１０の載上面の柔軟性をより向上させることができる。
【００７１】
また、弾性紐部材３３を用いることで図７（ｂ）に示すごとく例えば、特定の弾性板３０に負荷が作用しても、各弾性板３０どうしは、弾性紐部材３３によって連結しているため、負荷を周囲の弾性板３０とともに支持することができる。しかも、この際、弾性紐部材３３を用いた部位の載上面は、全体として緩やかに湾曲するため、例えば剛体の部材で弾性板３０を下側から支持するよりも利用者の快適さを確保して支持することができる。
【００７２】
また、折畳みベッド１０の尻部に関しては、図８（ａ）に示すごとく、まず、上述した上下方向に積層した弾性板３０に包囲した２つの包囲部材３４を互いに離間して、それぞれの弾性板３０の自由端に対応する位置までスライドさせる。
【００７３】
この状態では、例えば、図８（ｂ）に示すごとく弾性板３０の中心部に力を付与したとき、２つの包囲部材３４は各自由端（図８のC、D参照）を拘束して固定端とすることになり、該包囲部材３４の間（区間A）において上下に積層した弾性板３０は２枚一体に湾曲する。よって、その分、弾性板３０は、弾性し難くなる。
【００７４】
一方、例えば、図８（ｃ）に示すごとく、２枚の包囲部材３４をスライドして互いに弾性板３０の中央部で当接させる。
【００７５】
この状態では、例えば図８（ｄ）に示すごとく、弾性板３０の中心部に力を付与したとき、２枚の弾性板３０における取付部材３１に挿通していない側の端部は、包囲部材３４によって拘束されないため、自由端となる（図８のＧ、Ｈ参照）。よって、上下に積層した各弾性板３０の接触部分（区間B）において各板部材は単独で摺動しながら湾曲する。
【００７６】
すなわち、利用者は、弾性板３０ごとに有する２枚あるいは、一方の包囲部材３４をスライドすることにより、尻部における弾性力を好みに応じて調節することができる。
【００７７】
以上より、折畳みベッド１０は、マットを使用しなくても柔軟性を得ることができるとともに、マットを使用しないことにより、通気性を確保し、衛生面に優れた清涼感の有するベッドを構成することができる。
【００７８】
また、上述した背部を倒伏した折畳みベッド１０は、容易に折り畳んで収納することができる。すなわち、利用者は、図９に示すごとくハンドル２４における折畳みベッド１０の長手方向の中央側の部位を把持し、持ち上げると上記付勢バネ２６の伸縮力を利用して図９（ａ）に示すごとく背部を倒伏した状態であった折畳みベッド１０を図９（ｂ）に示す逆V字形にベッドの長手方向の中央部で起立した状態に折り畳むことができる。  
なお、図９（ａ）、（ｂ）は弾性板３０を省略した状態で現している。
【００７９】
この際、上述するごとく、上記支持部１８は背部起伏フレーム１２を支持可能に、該背部起伏フレーム１２と固定フレーム１１との枢着部１２ｃより頭部側にのみ形成し、背部起伏フレーム１２を支持するために尻部にも余計なフレームを必要としないため、折畳みベッド１０を軽量化することで利用者は、折り畳み操作をさらに容易に行うことができる。しかも、このように余計な部材を用いて形成していないため、折り畳んだ後も、コンパクトに収納することができる。
【００８０】
上述の実施形態と、この発明の構成との対応において、
この実施形態の背部起伏フレーム１２は、この発明の上半身起伏フレームに対応し、以下同様に、
頭部側固定フレーム１３、及び、脚部側固定フレーム１４は、固定フレームに対応し、
背部固定フレーム部１６は、上半身固定フレーム部に対応し、
脚部側固定フレーム１４は、脚部固定フレーム部に対応し、
尻部固定フレーム部１７、及び、脚部側固定フレーム１４は、下半身固定フレーム部に対応し、
紐部材は、弾性紐部材３３に対応するも、この発明は、上述の実施形態の構成のみに限定されるものではなく、多くの実施の形態を得ることができる。
【図面の簡単な説明】
【００８１】
【図１】背部起立状態の折畳みベッドの外観図（ａ）、背部倒伏状態の折畳みベッドの外観図（ｂ）。
【図２】弾性板を省略して現した背部起立状態の折畳みベッドの外観図（ａ）、弾性板を省略して現した背部倒伏状態の折畳みベッドの外観図（ｂ）。
【図３】弾性板を省略して現した折畳みベッドの平面図（ａ）、図２（ａ）におけるＡＡ矢視図（ｂ）。
【図４】頭部側のみ現した背部起立状態の図３（ａ）におけるＡＡ矢視図（ａ）、頭部側のみ現した背部倒伏状態の図３（ａ）におけるＡＡ矢視図（ｂ）。
【図５】他の折畳みベッドを図３（ａ）の頭部側のみで現した平面図（ａ）、さらに他の折畳みベッドを図３（ａ）の頭部側のみで現した平面図（ｂ）、手段の他の折畳みベッドを図３（ａ）の頭部側のみで現した平面図（ｃ）。.
【図６】取付部材の右側面図（ａ）、取付部材の正面図（ｂ）。
【図７】図１（ｂ）におけるＡＢ矢視図（ａ）、荷重を加えたきの図１（ｂ）におけるＡＣ矢視図（ｂ）。
【図８】包囲部材を離間した図１におけるＤＤ矢視図（ａ）、図７（ａ）の弾性板に力を付与した図１におけるＤＤ矢視図（ｂ）、包囲部材を当接した図１におけるＤＤ矢視図（ｃ）、図７（ｂ）の弾性板に力を付与した図１におけるＤＤ矢視図（ｄ）。
【図９】折畳みベッドを折り畳む前の状態を現す左側面図（ａ）、折畳みベッドを折り畳んだ後の状態を現す左側面図（ｂ）。
【符号の説明】
【００８２】
１０…折畳みベッド
１１…固定フレーム
１２…背部起伏フレーム
１３…頭部側固定フレーム
１４…脚部側固定フレーム
１６…背部固定フレーム部
１７…尻部固定フレーム部
３３…弾性紐部材
【図１】
2005034401.tif 000003
【図２】
2005034401.tif 000004
【図３】
2005034401.tif 000005
【図４】
2005034401.tif 000006
【図５】
2005034401.tif 000007
【図６】
2005034401.tif 000008
【図７】
2005034401.tif 000009
【図８】
2005034401.tif 000010
【図９】
2005034401.tif 000011